(57)【特許請求の範囲】
【請求項１】
胴部に頚部が立設された容器本体と、前記容器本体内に連通する吐出通路が筒体の嘴部の上面に形成され前記頚部に装着された前記筒体の上面に弾性材料で作られた弾性蓋が被覆されて形成され内圧によって開放されるとともに消圧によって自己閉鎖する前記吐出通路に連通した吐出口部を有する吐出栓と、前記容器本体に前記吐出栓を覆って施蓋する平板状の天板の周縁から一体に周壁が垂設された有頭筒状の外蓋と、からなる吐出容器において；前記外蓋がその施蓋時に前記天板の平坦な天面が前記弾性蓋の上面全域に圧接し前記弾性蓋を前記嘴部の上面に弾性的に圧着せしめて前記吐出口部を閉鎖状態に保持することを特徴とする吐出容器。
【発明の詳細な説明】
【０００１】
【産業上の利用分野】
本発明は、液状やペースト状の流体物を収納し、吐出口の口元で自動的に開閉される自動開閉装置を有する吐出容器に関する。
【０００２】
【従来の技術】
従来、クリームや洗顔料などの化粧品や、歯磨き、シャンプーなどのトイレタリー製品など、液状やペースト状の流体物を収納し、内容物に圧力を加える事により口元で自動的に開口するとともに、消圧により自動的に閉鎖する自動開閉機能を有する吐出口が形成されたチューブ容器やポンプ付き容器であって、吐出口内の流体物を自動的に外気から遮断することにより、吐出口内近傍の流体物を乾燥や劣化から護り、衛生面を配慮した吐出容器が知られている。
【０００３】
上記のような自動開閉装置付き容器として、実開平５−６２４５４号公報に開示された吐出容器が提案されている。
【０００４】
図７に示すように、前記公報に開示された吐出容器は、容器本体５１の頚部５２に有頭筒状のキャップ５４を外嵌し、このキャップ５４の天板部５５に、容器本体５１の内外に連通するとともに逆止弁５６を備えた貫通孔５７を設け、この貫通孔５７にディップチューブ５８を垂設し、前記天板部５５の上面に弾性部材からなるドーム５９を装着し、このドーム５９の裾部の一部と前記キャップ５４との間に自閉性を有する開口部６０を設けてなるもので、前記ドーム５９を押圧することにより、ドーム５９とキャップ５４との間の開口部６０から内容物を吐出する。そして、内容物の吐出後、ドーム５９を弾性復帰させると、前記開口部６０は自身の自閉機能によって閉じられるというもので、弾性部材を利用した簡単な自動開閉機能を有する開口部６０が形成されたポンプ付き吐出容器となっている。
【０００５】
【発明が解決しようとする課題】
しかしながら、上記従来の吐出容器は、自動開閉機能を有する開口部６０を簡単な構造とすることにより安価に製造できるものではあるが、弾性部材による開口部６０自身の弾性力のみで自閉状態を保持する構成であるので、開口部６０の密閉性は充分とは言えず、ドーム５９や容器本体１の内圧が温度変化により上昇すると、開口部６０は自開して内容物が自然に漏洩することがあると言う問題があった。
【０００６】
本発明は上記の問題に鑑みてなされたもので、弾性部材を用いた自動開閉装置の口元を確実な閉鎖状態に保持し、構造も簡単で安価な吐出容器にする事を目的としている。
【０００７】
【課題を解決するための手段】
そこで、本発明の吐出容器では、胴部に頚部が立設された容器本体と、前記容器本体内に連通する吐出通路が筒体の嘴部の上面に形成され前記頚部に装着された前記筒体の上面に弾性材料で作られた弾性蓋が被覆されて形成され内圧によって開放されるとともに消圧によって自己閉鎖する前記吐出通路に連通した吐出口部を有する吐出栓と、前記容器本体に前記吐出栓を覆って施蓋する平板状の天板の周縁から一体に周壁が垂設された有頭筒状の外蓋と、からなる吐出容器において；前記外蓋がその施蓋時に前記天板の平坦な天面が前記弾性蓋の上面全域に圧接し前記弾性蓋を前記嘴部の上面に弾性的に圧着せしめて前記吐出口部を閉鎖状態に保持することを特徴とすることで、前記課題の解決手段とした。
【０００８】
【作用】
本発明に係る吐出容器においては、容器本体内に連通する吐出通路が形成された筒体の上部を弾性部材からなる弾性蓋で被覆することにより、吐出通路に連通し内圧によって開放される自動開閉機能のある吐出口部を有する吐出栓が形成され、前記容器本体に外蓋を被せると、外蓋の内側の押圧部が吐出栓の弾性蓋を筒体に弾性的に圧着し吐出口部を確実に閉鎖する。
【０００９】
【実施例】
以下、本発明の実施例を添付図面を参照しながら詳細に説明する。
【００１０】
図１は、本発明の吐出容器の第一実施例を示すもので、本実施例の吐出容器は、流体物が収納される容器本体１０と、この容器本体１０の頚部１１に外嵌される蓋状の筒体２０と、この筒体２０の上面を被覆して吐出栓Ｔを構成する弾性蓋３０と、前記容器本体１０の上部に被蓋する外蓋４０とから構成されている。
【００１１】
前記容器本体１０は、ポリエチレン、ポリプロピレンなど軟質の汎用合成樹脂材料を用いて形成され、変形可能な弾性と可撓性を有する胴部１２の上面に台部１３が形成され、この台部１３の上端外周には突条１４が周設され、台部１３の中央部には、外周に雄螺子１５が螺設されているとともに上端に開口部１６が開設された頚部１１が立設されて、全体としてチューブ状容器に形成されている。
【００１２】
前記筒体２０は、天板部２１の端縁から一体に周壁２３が垂設され、この周壁２３の内側には前記雄螺子１５に螺合する雌螺子２２が刻設されて螺子蓋状に形成されている。
【００１３】
そして、前記周壁２３の下端部には、外周に突起２５を有し下端に外向きのフランジ２６が周設された径大部２４が形成され、前記径大部２４の下端内側には、容器本体１０の台部１３の突条１４と脱抜不能に係合される突条２７が周設されている。
【００１４】
また、天板部２１の中央には貫通孔２８が穿孔されているとともに、天板部２１の上面は片上がりの傾斜面に形成され、この傾斜面の高所側には周壁２３から突出した嘴部２９が突設され、この嘴部２９の上面には前記貫通孔２８に連通して容器本体１０内に連通する溝状の吐出通路２９ａが設けられている。
【００１５】
また、天板部２１の下面にはリブ２１ａが垂設され、容器本体１０の開口部１６の内側に嵌合されて容器本体１０と筒体２１とを液密に保持している。
【００１６】
前記弾性蓋３０は、ゴムやエラストマーなどの弾性材料を使用して筒体２０の上面と相似形に形成され、筒体２０の上面を被覆して筒体２０とともに吐出栓Ｔを構成している。そして、この弾性蓋３０の下面には、下端に鍔状のフック部３１を有する係合突起３２が突設され、前記係合突起３２は筒体２０の貫通孔２８に嵌挿され、天板部２１の下面にフック部３１が掛合して筒体２０と脱抜不能に固着されている。
【００１７】
また、筒体２０の上面を被覆した弾性蓋３０は、吐出通路２９ａの上壁面を形成するとともに、嘴部２９の上面に弾性的に密接して吐出通路２９ａに連通し自動開閉する吐出口部３３を形成している。
【００１８】
前記外蓋４０は、合成樹脂材料や金属材料で形成され、平板状の天板４１の周縁から一体に周壁４２が垂設されて有頭筒状に形成されている。
【００１９】
そして、前記天板４１の下面の周縁部には押圧部を形成する突条４４が環状に突設されており、この突条４４が筒体２０の嘴部２９の先端部上面に密接した弾性蓋３０の上面に圧接して嘴部２９の上面に弾性的に圧着することにより吐出口部３３の密閉を確実にしている。
【００２０】
また、前記周壁４２の下端部内側には溝４３が周設されて筒体２０の径大部２４の突起２５と係合し、外蓋４０の不用意な抜け外れを防止している。
【００２１】
以上のように構成された本実施例の吐出容器を使用するときは、外蓋４０を取り外し、容器本体１０を手指で押圧して充填されている流体物（図示せず）に圧力を加えると、流体物は容器本体１０内より貫通孔２８、吐出通路２９ａに押し上げられ、吐出口部３３は流体物の自圧によって開口される。また、押圧を中止して消圧されると、吐出口部３３は弾性蓋３０の弾性復帰力により自己閉鎖される。
【００２２】
そして、本実施例の吐出容器を保存するときは、外蓋４０を嵌合して外蓋４０の溝４３と筒体２０の径大部２０の突起２５とを係合させる。すると、外蓋４０の突条４４が弾性蓋３０に圧接し、嘴部２９の上面に弾性的に圧着させて吐出口部３３を強制的に閉鎖状態にする。
【００２３】
従って、保存中に温度変化や容器本体１０への不用意な衝撃によって内圧が上昇しても、自圧によって吐出口部３３が自開することはなく、不慮の内容物の漏洩による周囲の汚染を防止することができる。
【００２４】
しかも、弾性部材を使用した構造の簡単な自動開閉機能を有する吐出口部に、単に外蓋４０を嵌合させるだけで密閉を確実に保持する構成であるので、部品が増えることもなく、従って安価に提供することができる。
【００２５】
次ぎに、本発明の吐出容器は多様な形態にすることが可能であり、他の実施例について説明する。以下、各図において、上記第一実施例と共通する部分については同一符号を付しその説明を省略する。
【００２６】
図２乃至図３は、本発明に係る第二実施例の吐出容器を示すもので、吐出容器がポンプ付き容器である事例を示している。即ち、流体物が収納される容器本体１０と、この容器本体１０の頚部１１に嵌着するポンプ１７の排出管１８に外嵌される筒体２０と、この筒体２０の上面を被覆して吐出栓Ｔを構成する弾性蓋３０と容器本体１０の上部に被蓋する外蓋４０とから構成されている。
【００２７】
容器本体１０は第一実施例のものとほぼ同様のチューブ状容器であるので、その説明を省略する。尚、本実施例にあっては、容器本体１０はチューブ状容器に限るものではなく、瓶状の硬質容器であってもよいことは言うまでもない。
【００２８】
また、ポンプ１７も極めて周知のものであるので、その詳細な説明は省略する。
【００２９】
前記筒体２０は、天板２１の端縁から一体に周壁２３が垂設されているとともに、天板２１の中央には貫通孔２８が穿設され、前記貫通孔２８を囲んで内筒２０ａが垂設され、前記内筒２０ａはポンプ１７の上面に突出した排出管１８に外嵌されている。
【００３０】
また、天板２１の上面はフラットに形成されているとともに周壁２３から嘴部２９が突設され、前記嘴部２９の上面には貫通孔２８に連通しポンプ１７の排出管１８を介して容器本体１０内に連通する溝状の吐出通路２９ａが設けられている。
【００３１】
前記弾性蓋３０は第一実施例と同様に、筒体２０の上面と相似形に形成され、筒体２０の上面を被覆して筒体２０とともに吐出栓Ｔを構成し、吐出通路２９ａに連通して自動開閉する吐出口部３３を形成している。
【００３２】
前記外蓋４０は、平板状の天板４１の周縁から一体に周壁４２が垂設されて有頭筒状に形成され、前記天板４１の平坦な天面が弾性蓋３０の上面全域に圧接し嘴部２９の上面に弾性的に圧着させて吐出口部３３を閉鎖する押圧部を形成している。
【００３３】
以上のように構成された本実施例の吐出容器にあっては、ポンプ１７を作動させると、流体物は、容器本体１０内よりポンプ１７の排出管１８、貫通孔２８、吐出通路２９ａを通って吐出口部３３を自圧で開放して吐出される。そして、ポンプ１７の作動を中止すると、吐出口部３３が自閉することは第一実施例と同様である。
【００３４】
その他、作用、効果ともに第一実施例と同様であるので、その説明を省略する。
【００３５】
図４乃至図５は、本発明に係る第三実施例の吐出容器を示すもので、吐出容器がノズル付き容器である事例を示している。
【００３６】
図に示すように、チューブ状の容器本体１０の頚部１１に螺着された筒体２０は、下端にフランジ２６を有する周壁２３の外周に突起２５が周設されているとともに、前記周壁２３の天板２１の上面には、第二突起２５ａが周設された径小部２３ａが一体に設けられ、前記径小部２３ａの天板２１ｂの上面には、円錐状のノズル２３ｂが突設され、前記ノズル２３ｂには、このノズル２３ｂの側壁から前記天板２１ｂの上面にかけて容器本体１０内に連通する吐出通路２９ａが穿設されている。
【００３７】
弾性蓋３０は、頂部に貫通孔３５が貫設され、下端部の内側には筒体２０の第二突起２５ａと係合する突条３６が周設され、全体として弾性体からなる筒状に形成されている。そして、筒体２０の上部、即ち、径小部２３ａからノズル２３ｂの部分を被覆して筒体２０とともに吐出栓Ｔを構成し、吐出通路２９ａに連通して自動開閉する吐出口部３３を形成している。
【００３８】
そして、外蓋４０の平板状の天板４１の下面には環状の内筒４５が突設され、前記内筒４５が弾性蓋３０の先端部に外嵌して圧接し筒体２０のノズル２３ｂの上側面に弾性的に圧着させることにより吐出口部３３を閉鎖する押圧部を形成している。
【００３９】
以上のように構成された本実施例の吐出容器にあっては、容器本体１０を押圧すると、流体物は容器本体１０内よりノズル２３ｂの吐出通路２９ａを通って吐出口部３３を自圧で開放し、弾性蓋４０の頂部の貫通孔３５から排出される。
【００４０】
そして、押圧を中止すると吐出口部３３が自閉すること、および施蓋したときの作用効果は前記各実施例と同様である。
【００４１】
図６は、本発明に係る第四実施例の吐出容器を示すもので、ドーム状の弾性蓋と逆止弁３７とによるポンプ機能を有する吐出容器の場合の事例を示している。
【００４２】
図に示すように、容器本体１０の頚部１１に螺着された筒体２０は、天板２１の上面に円盤状の弾性体からなる逆止弁３７が嵌め込まれているとともに、周壁２３から嘴部２９が突設され、前記嘴部２９の上面には逆止弁３７を介して容器本体１０内に連通する溝状の吐出通路２９ａが設けられている。
【００４３】
弾性蓋３０は中央部が隆起したドーム状に形成され、筒体２０の上面を被覆して筒体２０とともにポンプ機能を有する吐出栓Ｔを構成し、吐出通路２９ａに連通して自動開閉する吐出口部３３を形成している。
【００４４】
そして、外蓋４０の平板状の天板４１の下面には環状の内筒４５が垂設され、前記内筒４５の先端部が嘴部２９の上面に密接した弾性蓋３０の上面部分に圧接し嘴部２９の上面に弾性的に圧着させることにより吐出口部３３を閉鎖する押圧部を形成している。
【００４５】
以上のように構成された本実施例の吐出容器にあっては、外蓋４０を施蓋するだけで自動開閉機能を有する吐出口部３３を口元で確実に閉鎖状態に保持し、ドーム内の内容物の自然漏洩を防止することができる。
【００４６】
【発明の効果】
以上説明したように、本発明の吐出容器によれば、吐出通路が形成された筒体の上部を弾性部材からなる弾性蓋で被覆することにより自動開閉機能を有する吐出口部が形成された吐出栓が構成されるとともに、外蓋を施蓋するだけで外蓋内側の押圧部が吐出栓の弾性蓋の外面に圧接して筒体に弾性的に圧着するように構成されているので、吐出口部は口元で開閉されるので衛生的であるとともに、弾性蓋は外蓋のあたかもパッキングのように弾性的に筒体に密着するので、確実に吐出口部の閉鎖状態が保持される。
【００４７】
従って、保存中に温度変化や容器本体への不用意な衝撃によって内圧が上昇しても、自圧によって吐出口部が自開することはなく、不慮の内容物の漏洩による周囲の汚染を防止することができる。
【００４８】
しかも、弾性部材を使用した構造の簡単な自動開閉機能を有する吐出口部に、単に外蓋を嵌合させるだけで密閉を確実にする構成であるので、部品が増えることもなく、従って安価に提供することができるものである。
【図面の簡単な説明】
【図１】  本発明の吐出容器の第一実施例を示す断面図である。
【図２】  本発明の吐出容器の第二実施例を示す要部断面図である。
【図３】  同実施例に使用される吐出栓の分解斜視図である。
【図４】  本発明の吐出容器の第三実施例を示す断面図である。
【図５】  同実施例の分解斜視図である。
【図６】  本発明の吐出容器の第四実施例を示す断面図である。
【図７】  従来の吐出容器を示す断面図である。
【符号の説明】
１０  容器本体，１１  頚部，１２  胴部，２０  筒体，２９ａ  吐出通路，３０  弾性蓋，３３  吐出口部，４０  外蓋，Ｔ  吐出栓
【図１】
0003657310.tif 000002
【図２】
0003657310.tif 000003
【図３】
0003657310.tif 000004
【図４】
0003657310.tif 000005
【図５】
0003657310.tif 000006
【図６】
0003657310.tif 000007
【図７】
0003657310.tif 000008